(57)【要約】【課題】障害物や遮蔽物に影響を受けることなく長距離伝送可能なＦＭ放送波伝送システムを提供する。【解決手段】ＦＭ放送局１００の演奏所で生成された音声信号に文字情報信号を加えたアナログ信号をデジタル信号に変換するＡ／Ｄ変換部３４と、変換されたデジタル信号を第１回線終端装置１１を介して送信所２００に出力する送信部３１とを有するＦＭ放送局側変換装置１０と、送信所２００において、ＦＭ放送局側変換装置１０の送信部３１から出力されたデジタル信号を第２回線終端装置２１を介して受信する受信部３２と、受信部３２が受信したデジタル信号をアナログ信号に変換するＤ／Ａ変換部３５を有する送信所側変換装置２０と、第１回線終端装置１１と第２回線終端装置２１間を接続する有線３００を備え、ＦＭ放送波を有線３００を介してＦＭ放送局１００から送信所２００まで伝送する。【選択図】図１
2008300945.tif 000002
【特許請求の範囲】
【請求項１】
ＦＭ放送局から送信所までＦＭ放送波を伝送するシステムであって、
前記ＦＭ放送局の演奏所で生成された音声信号に文字情報信号を加えてなるアナログ信号をデジタル信号に変換するＡ／Ｄ変換部と、そのＡ／Ｄ変換部で変換したデジタル信号を第１回線終端装置を介して前記送信所に出力する送信部とを有するＦＭ放送局側変換装置と、
前記送信所において、前記ＦＭ放送局側変換装置の送信部から出力されたデジタル信号を第２回線終端装置を介して受信する受信部と、その受信部が受信したデジタル信号をアナログ信号に変換するＤ／Ａ変換部とを有する送信所側変換装置と、
前記第１回線終端装置と前記第２回線終端装置との間を接続する有線と、
を備え、
前記ＦＭ放送波を前記有線を介してＦＭ放送局から送信所まで伝送することを特徴とするＦＭ放送波伝送システム。
【請求項２】
前記送信所側変換装置は、前記Ｄ／Ａ変換部により変換したアナログ信号を、再度、デジタル信号に変換するＡ／Ｄ変換部と、そのＡ／Ｄ変換部で変換したデジタル信号を前記第２回線終端装置を介して前記ＦＭ放送局に出力する送信部とを更に有するとともに、
前記ＦＭ放送局側変換装置は、前記送信所側変換装置の送信部から出力されたデジタル信号を前記第１回線終端装置を介して受信する受信部と、その受信部が受信したデジタル信号をアナログ信号に変換するＤ／Ａ変換部とを更に有することを特徴とする請求項１に記載のＦＭ放送波伝送システム。
【請求項３】
前記ＦＭ放送局側変換装置と前記送信所側変換装置は、同一の変換装置であることを特徴とする請求項２に記載のＦＭ放送波伝送システム。
【請求項４】
前記ＦＭ放送局から送信所まではマイクロ波回線を使用した無線によっても前記ＦＭ放送波を伝送可能なことを特徴とする請求項１乃至３のうちいずれか一つに記載のＦＭ放送波伝送システム。
【請求項５】
ＦＭ放送局から送信所までＦＭ放送波を送信する装置であって、
前記ＦＭ放送局の演奏所で生成された音声信号に文字情報信号を加えてなるアナログ信号をデジタル信号に変換するＡ／Ｄ変換部と、
そのＡ／Ｄ変換部で変換したデジタル信号から送信データを作成する送信データ作成部と、
その送信データ作成部で作成された送信データを回線終端装置から有線を介して前記送信所に送信する送信部と、を備えることを特徴とするＦＭ放送波送信装置。
【請求項６】
ＦＭ放送局から送信されたＦＭ放送波を送信所で受信する装置であって、
前記ＦＭ放送局の演奏所で生成された音声信号に文字情報信号を加えてなるアナログ信号をＡ／Ｄ変換したもので、しかも有線を介して送信されたデジタル信号を、前記送信所において回線終端装置を介して受信する受信部と、
その受信部が受信したデジタル信号をアナログ信号に変換するＤ／Ａ変換部と、
そのＤ／Ａ変換部で変換されたアナログ信号を、ＦＭ放送を実行する放送装置に送る伝送部と、を備えることを特徴とするＦＭ放送波受信装置。
【請求項７】
ＦＭ放送局から送信所までＦＭ放送波を伝送する方法であって、
前記ＦＭ放送局の演奏所で生成された音声信号に文字情報信号を加えてなるアナログ信号をデジタル信号にＡ／Ｄ変換し、
そのＡ／Ｄ変換されたデジタル信号から送信データを作成し、
その送信データを第１回線終端装置から有線を介して前記送信所に送信し、
前記送信所において、前記有線を介して送信された前記送信データを、第２回線終端装置を介して受信して受信データを作成し、
その受信データをアナログ信号にＤ／Ａ変換し、
そのアナログ信号を、ＦＭ放送を実行する放送装置に送ることを特徴とするＦＭ放送波伝送方法。
【発明の詳細な説明】
【技術分野】
【０００１】
本発明は、ＦＭ放送局から送信所までＦＭ放送波を伝送するシステムに関するものである。
【背景技術】
【０００２】
従来、ＦＭ放送局から送信所までは自営のマイクロ波回線でＳＴＬ（Studio to Transmitter Link）回線を構築し、１５０ｋＨｚまでの周波数帯を使用してＦＭ放送波が伝送されている。
ＦＭ放送局では演奏所で、例えば、図１２に示すように、ステレオ（Ｌ，Ｒ）を複合したステレオコンポジット信号に文字放送（文字情報信号）を加えた信号を生成している。
ステレオ音声信号の主チャンネルは、左右信号の和信号（Ｌ＋Ｒ）で、副チャンネルは３８ｋＨｚの周波数の副搬送波を左右信号の差信号（Ｌ−Ｒ）で搬送波抑圧振幅変調したものである。また、復調時に必要となるステレオパイロット信号は、１９ｋＨｚの周波数に重畳されている。また文字放送文字（情報信号）は、差信号（Ｌ−Ｒ）の更に上に重畳されている。文字放送のパイロット信号は、７６ｋＨｚの周波数に重畳されている。
【０００３】
そして、生成されたステレオ音声信号に文字情報信号を加えてなるアナログ信号をデジタル信号に変換した後、ＤＳＵ（回線終端装置）を介してデジタル信号を送信所に出力している。送信所では、伝送されたデジタル信号をＤＳＵ（回線終端装置）を介して受信してアナログ信号に変換した後、周波数変換し、放送波としてアンテナより一般家庭に向けて送信される。
【発明の開示】
【発明が解決しようとする課題】
【０００４】
しかしながら、従来のＦＭ放送波伝送システムは、無線通信による伝送システムであるので、使用する帯域によっては、降雨減衰により障害が生じる場合があり、長距離伝送が困難になるという問題がある。
また、ＦＭ放送波伝送システムの構築後に、伝送路の途中に例えば高層ビルなどの障害物や遮蔽物が建築されると送信不能になる恐れもある。
【０００５】
そこで、本発明の目的とするところは、障害物や遮蔽物に影響を受けることなく長距離伝送可能なＦＭ放送波伝送システム、ＦＭ放送波送信装置、ＦＭ放送波受信装置、ＦＭ放送波伝送方法を提供することにある。
【課題を解決するための手段】
【０００６】
上記の目的を達成するために、本発明の請求項１に記載のＦＭ放送波伝送システムは、ＦＭ放送局（１００）から送信所（２００）までＦＭ放送波を伝送するシステムであって、前記ＦＭ放送局（１００）の演奏所で生成された音声信号に文字情報信号を加えてなるアナログ信号をデジタル信号に変換するＡ／Ｄ変換部（３４）と、そのＡ／Ｄ変換部（３４）で変換したデジタル信号を第１回線終端装置（１１）を介して前記送信所（２００）に出力する送信部（３１）とを有するＦＭ放送局側変換装置（１０）と、前記送信所（２００）において、前記ＦＭ放送局側変換装置（１０）の送信部（３１）から出力されたデジタル信号を第２回線終端装置（２１）を介して受信する受信部（３２）と、その受信部（３２）が受信したデジタル信号をアナログ信号に変換するＤ／Ａ変換部（３５）とを有する送信所側変換装置（２０）と、前記第１回線終端装置（１１）と前記第２回線終端装置（２１）との間を接続する有線（３００）と、を備え、前記ＦＭ放送波を前記有線（３００）を介してＦＭ放送局（１００）から送信所（２００）まで伝送することを特徴とする。
【０００７】
また、請求項２に記載の発明は、前記送信所側変換装置（２０）は、前記Ｄ／Ａ変換部（３５）により変換したアナログ信号を、再度、デジタル信号に変換するＡ／Ｄ変換部（３４）と、そのＡ／Ｄ変換部（３４）で変換したデジタル信号を前記第２回線終端装置（２１）を介して前記ＦＭ放送局（１００）に出力する送信部（３１）とを更に有するとともに、前記ＦＭ放送局側変換装置（１０）は、前記送信所側変換装置（２０）の送信部（３１）から出力されたデジタル信号を前記第１回線終端装置（１１）を介して受信する受信部（３２）と、その受信部（３２）が受信したデジタル信号をアナログ信号に変換するＤ／Ａ変換部（３５）とを更に有することを特徴とする。
【０００８】
さらに、請求項３に記載の発明は、前記ＦＭ放送局側変換装置（１０）と前記送信所側変換装置（２０）は、同一の変換装置であることを特徴とする。
【０００９】
また、請求項４に記載の発明は、前記ＦＭ放送局（１００）から送信所（２００）まではマイクロ波回線を使用した無線によっても前記ＦＭ放送波を伝送可能なことを特徴とする。
【００１０】
また、請求項５に記載の発明は、ＦＭ放送局（１００）から送信所（２００）までＦＭ放送波を送信する装置であって、前記ＦＭ放送局（１００）の演奏所で生成された音声信号に文字情報信号を加えてなるアナログ信号をデジタル信号に変換するＡ／Ｄ変換部（３４）と、そのＡ／Ｄ変換部（３４）で変換したデジタル信号から送信データを作成する送信データ作成部（３０）と、その送信データ作成部（３０）で作成された送信データを回線終端装置（１１）から有線（３００）を介して前記送信所（２００）に送信する送信部（３１）と、を備えることを特徴とするＦＭ放送波送信装置（１０）である。
【００１１】
また、請求項６に記載の発明は、ＦＭ放送局（１００）から送信されたＦＭ放送波を送信所（２００）で受信する装置であって、前記ＦＭ放送局（１００）の演奏所で生成された音声信号に文字情報信号を加えてなるアナログ信号をＡ／Ｄ変換したもので、しかも有線（３００）を介して送信されたデジタル信号を、前記送信所（２００）において回線終端装置（２１）を介して受信する受信部（３２）と、その受信部（３２）が受信したデジタル信号をアナログ信号に変換するＤ／Ａ変換部（３５）と、そのＤ／Ａ変換部（３５）で変換されたアナログ信号を、ＦＭ放送を実行する放送装置に送る伝送部（３０）と、を備えることを特徴とするＦＭ放送波受信装置である。
【００１２】
また、請求項７に記載の発明は、ＦＭ放送局（１００）から送信所（２００）までＦＭ放送波を伝送する方法であって、前記ＦＭ放送局（１００）の演奏所で生成された音声信号に文字情報信号を加えてなるアナログ信号をデジタル信号にＡ／Ｄ変換し、そのＡ／Ｄ変換されたデジタル信号から送信データを作成し、その送信データを第１回線終端装置（１１）から有線（３００）を介して前記送信所（２００）に送信し、前記送信所（２００）において、前記有線（３００）を介して送信された前記送信データを、第２回線終端装置（２１）を介して受信して受信データを作成し、その受信データをアナログ信号にＤ／Ａ変換し、そのアナログ信号を、ＦＭ放送を実行する放送装置に送ることを特徴とするＦＭ放送波伝送方法である。
【００１３】
なお、括弧内の記号は、図面および後述する発明を実施するための最良の形態に記載された対応要素または対応事項を示す。
【発明の効果】
【００１４】
本発明の請求項１に係るＦＭ放送波伝送するシステム、請求項５に係るＦＭ放送波送信装置、請求項６に係るＦＭ放送波受信装置、及び、請求項７に係るＦＭ放送波伝送方法によれば、音声信号に文字情報信号が加わったＦＭ放送波を有線を介してＦＭ放送局から送信所まで伝送するので、使用する帯域によっては、降雨減衰により障害が生じるといったように天候に左右されやすい無線特有の問題はなく、長距離伝送も可能である。
また、ＦＭ放送波伝送システムの構築後に、伝送路の途中に例えば高層ビルなどの障害物や遮蔽物が建築されても影響はない。
【００１５】
また請求項２に係る発明によれば、前記送信所側変換装置は、前記Ｄ／Ａ変換部により変換したアナログ信号を、再度、デジタル信号に変換するＡ／Ｄ変換部と、そのＡ／Ｄ変換部で変換したデジタル信号を前記第２回線終端装置を介して前記ＦＭ放送局に出力する送信部とを更に有するとともに、前記ＦＭ放送局側変換装置は、前記送信所側変換装置の送信部から出力されたデジタル信号を前記第１回線終端装置を介して受信する受信部と、その受信部が受信したデジタル信号をアナログ信号に変換するＤ／Ａ変換部とを更に有するので、ＦＭ放送局側で、最初に送信したアナログ信号と、それに対応して送信所から送信されたアナログ信号とを比較することができ、信号の減衰状況などの点検をＦＭ放送局側だけで容易に行うことができる。
【００１６】
また請求項３に係る発明によれば、前記ＦＭ放送局側変換装置と前記送信所側変換装置を同一の変換装置で構成するので、メンテナンスにも優れ使い勝手がよい。
【００１７】
また請求項４に記載の発明によれば、ＦＭ放送局から送信所まではマイクロ波回線を使用した無線によってもＦＭ放送波を伝送可能であるので、有線と無線とを併用することができる。
よって、有線及び無線による伝送のうちいずれか一方を他方のバックアップとして使用したり、点検に使用したりすることができるので、汎用性がある。
【発明を実施するための最良の形態】
【００１８】
図面を参照して、本発明の実施形態に係るＦＭ放送波伝送システムについて説明する。
本発明の実施形態に係るＦＭ放送波伝送システムは、図１に示すように、基本的に、ＦＭ放送局１００から送信所２００までＦＭ放送波を伝送するシステムであって、ＦＭ放送波を、例えば、専用線，ＩＰ−ＶＰＮ，マルチキャストといった有線３００を介してＦＭ放送局１００から送信所２００まで伝送することを特徴にするものである。
【００１９】
ＦＭ放送局１００側では、送信装置として機能するＦＭ放送局側変換装置１０とＤＳＵ（第１回線終端装置）１１が設けられ、ＦＭ放送局１００の演奏所で生成された、例えば、図１２で示したような、音声信号に文字情報信号を加えてなるアナログ信号を、ＦＭ放送局側変換装置１０でデジタル信号に変換してＤＳＵ（第１回線終端装置）１１を介して送信所２００側に有線３００を通じて出力する。
そして、送信所２００側では、ＤＳＵ（第２回線終端装置）２１と受信装置として機能する送信所側変換装置２０が設けられ、有線３００を通じて送信されたデジタル信号を第２回線終端装置２１を介して受信し、受信したデジタル信号を、送信所側変換装置２０でアナログ信号に変換する。その後、変換されたアナログ信号は、周波数変換され、ＦＭ放送波として送信所２００のアンテナより一般家庭に向けて送信される。
【００２０】
ＦＭ放送局側変換装置１０は、図２に示すように、装置全体を制御するＣＰＵからなる制御部３０と、デジタル信号をＤＳＵ（第１回線終端装置）１１を介して送信所２００に出力する送信部３１と、記憶部３３と、アナログ信号をデジタル信号に変換するＡ／Ｄ変換部３４と、操作部３６と、表示部３７と、カレンダー時計３８と、タイマー３９と、センサー部４０を有している。そして、ＦＭ放送局側変換装置１０は、デジタル信号をＤＳＵ（第１回線終端装置）１１を介して受信する受信部３２と、デジタル信号をアナログ信号に変換するＤ／Ａ変換部３５についても有している。また、ＦＭ放送局側変換装置１０の制御部３０は、ＦＭ放送波を出力してＦＭ放送を実行する放送装置の有するパワー回路５０のゲート回路５１に接続され、ゲート回路５１の開閉を制御できるように構成されている。
【００２１】
送信所側変換装置２０は、ＦＭ放送局側変換装置１０と同一の変換装置であり、構成も図２に示すようになっている。なお、送信所側変換装置２０では、デジタル信号の受信と送信には、ＤＳＵ（第２回線終端装置）２１が使用される。
【００２２】
記憶部３３は、図３に示すように、受信バッファ，データ数のカウンタ値ｎａ，データポインターといったＡ／Ｄ変換用の記憶領域３３ａと、出力バッファ，データ数のカウンタ値ｎｄ，データポインターといったＤ／Ａ変換用の記憶領域３３ｂと、受信バッファ，パケット数，データポインターといったＤＳＵからの受信バッファ内の記憶領域３３ｃと、送信バッファ，パケット数，データポインターといったＤＳＵからの送信バッファ内の記憶領域３３ｄを有している。
【００２３】
アナログデータの入力部は、図４に示すように、センサー部４０とＡ／Ｄ変換部３４がＡ／Ｄ変換内のＣＰＵによって制御され、アナログの入力信号をセンサー部４０が検知すると、ラッチしたデータがＡ／Ｄ変換部３４によって１６ビットパラレルといった形でデータが入力されるようになっている。なお、Ａ／Ｄ変換内のＣＰＵにかえて、制御部３０で制御させることもできる。
また、デジタルデータの出力部は、図５に示すように、パワー回路５０のゲート回路５１とＤ／Ａ変換部３５が制御部３０によって制御され、１６ビットパラレルのデータがＤ／Ａ変換部３５で変換され、ゲート回路５１を開くことでアナログの出力信号として出力されるようになっている。
【００２４】
次に、図６乃至図１１を参照して、本発明の実施形態に係るＦＭ放送波伝送システムにおける信号伝送について具体的に説明する。
図６は本実施形態に係るＦＭ放送波伝送システムにおける信号伝送のタイミングチャート、図７は図６の（１）に対応したＡ／Ｄ変換のタイミングチャート、図８は図６の（２）に対応した送信データパケット作成のフローチャート、図９は図６の（３）に対応したデータ送信のタイミングチャート、図１０は図６の（５）に対応したＤＳＵからデータを受信するタイミングチャート、図１１は図６の（６）に対応したＤ／Ａ変換のタイミングチャートをそれぞれ示す。
【００２５】
図６の（１）に示す、Ａ／Ｄ変換は、音声信号に文字情報信号を加えてなるアナログ信号をデジタル信号に変換するものであり、図７に示すように、タイマー３９が３．３μｓｅｃ毎に割込み１個のデータを読み取り、センサー部４０でサンプリングし、ラッチしたデータをＡ／Ｄ変換部３４でＡ／Ｄ変換して、変換したデータを読み取り、Ａ／Ｄ変換用の記憶領域３３ａの受信バッファにデータを保存する。このとき、Ａ／Ｄ変換部３４はデータ数を示すカウンタ値ｎａを１インクリメントして制御部３０に完了を報告する。
【００２６】
そして、制御部３０は、送信データ作成部として機能し、Ａ／Ｄ変換用の記憶領域３３ａに記憶されるデータの数（カウンタ値ｎａ）がＮになったら、図６の（２）に示すように、１パケットとして国際規格に沿った送信データＧ７０３パケットを作成して、カウンタ値ｎａを０にセットする。
すなわち、制御部３０は、図８に示すように、Ａ／Ｄ変換のデータ数ｎａを取得し（ステップ８１）、Ｎ個比較し（ステップ８２）、Ａ／Ｄ変換のデータ数ｎａがＮ個になると、Ａ／Ｄ変換したｎａ個のデータを国際規格（Ｇ７０３）に沿ったデータフォーマットに変換し（ステップ８３）、圧縮する（ステップ８４）。そして、ＦＭ搬送波の送信バッファ（送信バッファ内の記憶領域３３ｄ）へコピーして（ステップ８５）、送信パケット数を１カウントアップし（ステップ８６）、Ａ／Ｄ変換のデータ数ｎａを０にセットする（ステップ８７）。
【００２７】
次に、図６の（３）に示すように、ＤＳＵ（第１回線終端装置）１１へのデータ送信が行われる。これについて説明すると、図９に示すように、タイマー３９から一定の周期Ｔでデータ送信の指示があると、制御部３０は、送信するパケット数が１以上であれば、データの送信部３１に送信の命令を行い、それに応じて送信部３１は、送信バッファ（送信バッファ内の記憶領域３３ｄ）のパケットをＤＳＵ（第１回線終端装置）１１に送信する。そして、送信部３１は、送信バッファの送信済みパケットを削除し、送信パケット数をリセットする。
【００２８】
そして、図６の（４）に示すように、ＤＳＵ（第１回線終端装置）１１に送信されたパケット、例えば、Ｍ個のパケットを有線（専用線）３００だけを介して送信所２００側のＤＳＵ（第１回線終端装置）２１に伝送する。
【００２９】
次に、送信所２００側では、図６の（５）に示すように、ＤＳＵ（第２回線終端装置）２１からデータの受信が行われる。これについて説明すると、図１０に示すように、ＤＳＵ（第２回線終端装置）２１から受信部３２にデータ送信の準備が整ったことを示す信号があり、受信部３２から送信指示の要求があると、受信部３２はＤＳＵ（第２回線終端装置）２１からデータを受信し、受信バッファ内の記憶領域３３ｃに格納する。それとともに、受信部３２は受信パケット数を１インクリメントして、制御部３０に知らせる。制御部３０は、出力データへ解凍するとともに受信パケット数を１デクリメントし、Ｄ／Ａ変換用の記憶領域３３ｂに出力データを格納する。
【００３０】
次に、図６の（６）に示すように、Ｄ／Ａ変換用の記憶領域３３ｂに格納された出力データに対するＤ／Ａ変換が行われる。これについて説明すると、図１１に示すように、タイマー３９から３．３μｓｅｃ毎に１個のデータの出力指示を受けると、制御部３０は、Ｄ／Ａ変換部３５に準備命令を行い、準備が整うとＤ／Ａ変換用の記憶領域３３ｂに格納された出力データをＤ／Ａ変換部３５に送る。これによって、Ｄ／Ａ変換部３５でデジタル信号がアナログ信号に変換され出力される。そして、制御部３０から出力の指示があると、放送装置の有するパワー回路５０のゲート回路５１が開放され、そこに変換されたアナログ信号が、伝送部として機能する制御部３０によって出力される。
これにより、送信所２００のアンテナより一般家庭に向けてＦＭ放送波が送信されＦＭ放送が実行される。
【００３１】
なお、本実施形態では、Ａ／Ｄ変換からＤ／Ａ変換までの所要時間を３００ｍｓｅｃ以内とした。また、有線３００を使用したデータ伝送のビットレートを４．８Ｍｂｐｓ（＝１６ビット×３００ｋＨｚサンプリング）程度とした。なお、従来は、この４．８Ｍｂｐｓという速さでＡ／Ｄ変換またはＤ／Ａ変換する素子がなかったが、図４に示すアナログデータ入力部及び図５に示すデジタルデータ出力部の構成によって４．８Ｍｂｐｓという速さでの伝送を実現することができた。
【００３２】
また、図２で示したように、ＦＭ放送局側変換装置１０と送信所側変換装置２０とは構成が同じ同一の変換装置であるので、送信所側変換装置２０は、Ｄ／Ａ変換部３５により変換したアナログ信号を、再度、デジタル信号に変換するＡ／Ｄ変換部３４と、そのＡ／Ｄ変換部３４で変換したデジタル信号を第２回線終端装置２１を介してＦＭ放送局１００に出力する送信部３１とを更に有するとともに、ＦＭ放送局側変換装置１０は、送信所側変換装置２０の送信部３１から出力されたデジタル信号を第１回線終端装置１１を介して受信する受信部３２と、その受信部３２が受信したデジタル信号をアナログ信号に変換するＤ／Ａ変換部３５とを更に有している。
【００３３】
これによって、ＦＭ放送局１００のＦＭ放送局側変換装置１０でアナログ信号から変換したデジタル信号を有線３００を介して送信所２００側に送信し、送信所側変換装置２０でアナログ信号に変換させた後、再度、デジタル信号に変換し、有線３００を介してＦＭ放送局１００側に送信し、ＦＭ放送局側変換装置１０でアナログ信号に変換させることができるので、ＦＭ放送局１００側で、最初に送信したアナログ信号と、それに対応して送信所２００から送信されたアナログ信号とを比較することができる。したがって、信号の減衰状況などの点検をＦＭ放送局１００側だけで容易に行うことができる。
【００３４】
また、ＦＭ放送局１００から送信所２００までをマイクロ波回線を使用した無線によってＦＭ放送波を伝送可能として、有線と無線とを併用するようにしてもよい。
これによれば、有線及び無線による伝送のうちいずれか一方を他方のバックアップとして使用したり、点検に使用したりすることができるので、汎用性がある。
【図面の簡単な説明】
【００３５】
【図１】本実施形態に係るＦＭ放送波伝送システムを示すシステム構成図である。
【図２】本実施形態に係るＦＭ放送波伝送システムに使用される変換装置を示す構成ブロック図である。
【図３】図２に示す記憶部の機能ブロック図である。
【図４】本実施形態に係るＦＭ放送波伝送システムにおけるアナログデータ入力部の構成を示すブロック図である。
【図５】本実施形態に係るＦＭ放送波伝送システムにおけるデジタルデータ出力部の構成を示すブロック図である。
【図６】本実施形態に係るＦＭ放送波伝送システムにおける信号伝送のタイミングチャートである。
【図７】本実施形態に係るＦＭ放送波伝送システムにおけるＡ／Ｄ変換のタイミングチャートである。
【図８】本実施形態に係るＦＭ放送波伝送システムにおける送信データパケット作成のフローチャートである。
【図９】本実施形態に係るＦＭ放送波伝送システムにおけるデータ送信のタイミングチャートである。
【図１０】本実施形態に係るＦＭ放送波伝送システムにおけるＤＳＵからデータを受信するタイミングチャートである。
【図１１】本実施形態に係るＦＭ放送波伝送システムにおけるＤ／Ａ変換のタイミングチャートである。
【図１２】周波数特性を示すグラフである。
【符号の説明】
【００３６】
１０      変換装置
１１      ＤＳＵ（回線終端装置）
２０      変換装置
２１      ＤＳＵ（回線終端装置）
３０      制御部（全体）
３１      送信部
３２      受信部
３３      記憶部
３３ａ    Ａ／Ｄ変換受信バッファ
３３ｂ    Ｄ／Ａ変換受信バッファ
３３ｃ    ＤＳＵ受信バッファ
３３ｄ    ＤＳＵ送信バッファ
３４      Ａ／Ｄ変換部
３５      Ｄ／Ａ変換部
３６      操作部
３７      表示部
３８      カレンダー時計
３９      タイマー
４０      センサー部
５０      パワー回路
５１      ゲート回路
１００      ＦＭ放送局
２００      送信所
３００      有線
【図１】
2008300945.tif 000003
【図２】
2008300945.tif 000004
【図３】
2008300945.tif 000005
【図４】
2008300945.tif 000006
【図５】
2008300945.tif 000007
【図６】
2008300945.tif 000008
【図７】
2008300945.tif 000009
【図８】
2008300945.tif 000010
【図９】
2008300945.tif 000011
【図１０】
2008300945.tif 000012
【図１１】
2008300945.tif 000013
【図１２】
2008300945.tif 000014